【手続補正書】
【提出日】平成23年8月2日(2011.8.2)
【手続補正１】
【補正対象書類名】特許請求の範囲
【補正対象項目名】全文
【補正方法】変更
【補正の内容】
【特許請求の範囲】
【請求項１】
検索を行う側であって、通信機能を備えると共に、所定のグループ登録がなされた端末装置と、
検索される側の端末装置であって、携帯性、現在位置検出機能、上記端末装置で利用可能な所定の利用可能機能、及び無線通信機能を備え、上記端末装置と同じグループに属することを示すグループ登録がなされた複数の携帯端末装置と、
広域ネットワーク上に設けられ、上記端末装置及び上記各携帯端末装置を特定するための所定の識別子、少なくとも上記各携帯端末装置の現在位置検出機能で検出された現在位置を示す現在位置情報、少なくとも上記各携帯端末装置の上記利用可能機能を示す利用可能機能情報、上記端末装置と上記各携帯端末装置との間に通信コネクションを確立するための、上記端末装置及び上記各携帯端末装置の通信設定情報を含む端末情報をグループ化して登録することで、上記端末装置及び上記各携帯端末装置を、同じグループに属する端末装置として関連付けて登録するデータベースを備えたサーバ装置と
を有し、
上記サーバ装置は、上記端末装置から所定の地理的範囲が指定された際に、上記データベースに登録されている上記同じグループの各携帯端末装置の現在位置情報を参照することで、上記端末装置から指定された地理的範囲に位置する上記同じグループの各携帯端末装置を検出し、この各携帯端末装置の現在位置情報、該各携帯端末装置の端末情報、及び上記端末装置から指定された地理的範囲に対応する地図情報を上記端末装置に送信し、
上記端末装置は、上記サーバ装置から受信した上記指定した地理的範囲に対応する地図情報を表示部に表示すると共に、この地図情報上に、上記同じグループの各携帯端末装置の現在位置情報を一覧的に表示し、
上記サーバ装置は、上記同じグループの各携帯端末装置の現在位置情報を一覧的に表示した上記端末装置から所望の携帯端末装置が指定されると共に、この所望の携帯端末装置の上記利用可能機能が指定された際に、上記データベースに登録されている、当該指定された携帯端末装置の上記端末情報に含まれる上記通信設定情報に基づいて、該指定された携帯端末装置と上記端末装置との間に、当該サーバ装置及び上記広域ネットワークを介した上記利用可能機能用の通信コネクションを確立し、
上記端末装置及び上記指定された携帯端末装置は、上記サーバ装置により確立された上記通信コネクションを介して、上記指定された携帯端末装置の上記利用可能機能に対応するデータ通信を行う
データ通信システム。
【請求項２】
上記サーバ装置は、上記端末装置から所定の検索条件が指定された際に、上記データベースに登録されている上記各携帯端末装置の端末情報に基づいて、上記指定された所定の検索条件に対応する携帯端末装置を検出し、この各携帯端末装置の現在位置情報、該各携帯端末装置の端末情報、及び該各携帯端末装置の各現在位置を含む地理的範囲に対応する地図情報を上記端末装置に送信し、
上記端末装置は、上記サーバ装置から受信した上記地図情報を表示部に表示すると共に、この地図情報上に、上記各携帯端末装置の現在位置情報を一覧的に表示する
請求項１に記載のデータ通信システム。
【請求項３】
上記サーバ装置は、上記各携帯端末装置の現在位置を所定のタイミングで取得し、この取得した各携帯端末装置の現在位置を示す現在位置情報を上記端末装置に送信し、
上記端末装置は、上記サーバ装置から受信した上記各携帯端末装置の現在位置情報に基づいて、上記表示部に表示している上記各携帯端末装置の現在位置情報を更新処理する
請求項１又は請求項２に記載のデータ通信システム。
【請求項４】
上記端末装置は、上記各携帯端末装置の現在位置情報を更新する際に、更新前の位置と更新後の現在位置との間を結ぶ矢印を表示する更新処理を行う
請求項３に記載のデータ通信システム。
【請求項５】
検索を行う側であって、通信機能を備えると共に、所定のグループ登録がなされた端末装置と、
検索される側の端末装置であって、携帯性、現在位置検出機能、上記端末装置で利用可能な所定の利用可能機能、及び無線通信機能を備え、上記端末装置と同じグループに属することを示すグループ登録がなされた複数の携帯端末装置と、
広域ネットワーク上に設けられ、上記端末装置及び上記各携帯端末装置を特定するための所定の識別子、少なくとも上記各携帯端末装置の現在位置検出機能で検出された現在位置を示す現在位置情報、少なくとも上記各携帯端末装置の上記利用可能機能を示す利用可能機能情報、上記端末装置と上記各携帯端末装置との間に通信コネクションを確立するための、上記端末装置及び上記各携帯端末装置の通信設定情報を含む端末情報をグループ化して登録することで、上記端末装置及び上記各携帯端末装置を、同じグループに属する端末装置として関連付けて登録するデータベースを備えたサーバ装置とを有するデータ通信システムにおけるデータ通信方法であって、
上記サーバ装置は、上記端末装置から所定の地理的範囲が指定された際に、上記データベースに登録されている上記同じグループの各携帯端末装置の現在位置情報を参照することで、上記端末装置から指定された地理的範囲に位置する上記同じグループの各携帯端末装置を検出し、この各携帯端末装置の現在位置情報、該各携帯端末装置の端末情報、及び上記端末装置から指定された地理的範囲に対応する地図情報を上記端末装置に送信し、
上記端末装置は、上記サーバ装置から受信した上記指定した地理的範囲に対応する地図情報を表示部に表示すると共に、この地図情報上に、上記同じグループの各携帯端末装置の現在位置情報を一覧的に表示し、
上記サーバ装置は、上記同じグループの各携帯端末装置の現在位置情報を一覧的に表示した上記端末装置から所望の携帯端末装置が指定されると共に、この所望の携帯端末装置の上記利用可能機能が指定された際に、上記データベースに登録されている、当該指定された携帯端末装置の上記端末情報に含まれる上記通信設定情報に基づいて、該指定された携帯端末装置と上記端末装置との間に、当該サーバ装置及び上記広域ネットワークを介した上記利用可能機能用の通信コネクションを確立し、
上記端末装置及び上記指定された携帯端末装置が、上記サーバ装置により確立された上記通信コネクションを介して、上記指定された携帯端末装置の上記利用可能機能に対応するデータ通信を行う
データ通信方法。
【請求項６】
所定のグループ登録がなされた端末装置と、
上記端末装置と同じグループに属することを示すグループ登録がなされた複数の携帯端末装置と、
上記端末装置及び上記各携帯端末装置を特定するための所定の識別子、上記各携帯端末装置の現在位置検出機能で検出された現在位置を示す現在位置情報、上記各携帯端末装置の上記利用可能機能を示す利用可能機能情報、上記端末装置と上記各携帯端末装置との間に通信コネクションを確立するための、上記端末装置及び上記各携帯端末装置の通信設定情報を含む端末情報をグループ化して登録することで、上記端末装置及び上記各携帯端末装置を、同じグループに属する端末装置として関連付けて登録するデータベースを備えたサーバ装置とを有するデータ通信システムにおける上記サーバ装置のデータ通信プログラムであって、
上記端末装置から所定の地理的範囲が指定された際に、上記データベースに登録されている上記同じグループの各携帯端末装置の現在位置情報を参照することで、上記端末装置から指定された地理的範囲に位置する上記同じグループの各携帯端末装置を検出し、この各携帯端末装置の現在位置情報、該各携帯端末装置の端末情報、及び上記端末装置から指定された地理的範囲に対応する地図情報を上記端末装置に送信することで、上記端末装置の表示部を介して、上記指定した地理的範囲に対応する地図情報上に、上記同じグループの各携帯端末装置の現在位置情報を表示する表示制御部としてコンピュータを機能させ、
上記同じグループの各携帯端末装置の現在位置情報を表示した上記端末装置から所望の携帯端末装置が指定されると共に、この所望の携帯端末装置の上記利用可能機能が指定された際に、上記データベースに登録されている、当該指定された携帯端末装置の上記端末情報に含まれる上記通信設定情報に基づいて、該指定された携帯端末装置と上記端末装置との間に、当該サーバ装置及び上記広域ネットワークを介した上記利用可能機能用の通信コネクションを確立する通信コネクション確立部として上記コンピュータを機能させ、
上記コンピュータを上記通信コネクション確立部として機能させることで確立された上記通信コネクションを介して、上記端末装置と上記指定された携帯端末装置との間における、上記指定された携帯端末装置の上記利用可能機能に対応するデータ通信を仲介するデータ通信仲介部として上記コンピュータを機能させる
データ通信プログラム。
【請求項７】
同じグループに属する複数の端末装置の識別子と、上記各端末装置の利用可能機能を示す利用可能機能情報と、上記各端末装置の通信コネクションを確立するための通信設定情報とを少なくとも含む各端末情報を関連付けてデータベースに登録するグループ登録部としてコンピュータを機能させ、
現在位置検出機能を備えた端末装置から所定のタイミングで送信される、当該端末装置の現在位置を示す現在位置情報を、該現在位置情報と共に送信される上記識別子に基づいて選別して上記データベースに登録すると共に、上記端末装置から上記識別子と共に新たな上記現在位置情報が送信される毎に、上記データベースに登録した上記識別子に対応する上記現在位置情報を、上記新たな現在位置情報に更新処理する現在位置登録部として上記コンピュータを機能させ、
上記同じグループに属する端末装置のうち、所定の端末装置から指定された地理的範囲内に位置する他の端末装置を、上記データベースに記憶されている上記現在位置情報に基づいて検出し、上記所定の端末装置から指定された地理的範囲を含む地図上に、上記他の端末装置の少なくとも現在位置を一覧表示するための一覧情報を形成して上記所定の端末装置に送信する一覧情報形成部として上記コンピュータを機能させ、
上記所定の端末装置から、上記一覧情報に基づいて所望の他の端末装置が指定されると共に、該所望の他の端末装置が備える機能を用いたデータ通信開始要求がなされた際に、上記所定の端末装置と上記所望の他の端末装置との間における、上記所望の他の端末装置が備える機能を用いたデータの送受信を仲介するデータ通信仲介部として上記コンピュータを機能させる
データ通信プログラム。
【手続補正２】
【補正対象書類名】明細書
【補正対象項目名】００１０
【補正方法】変更
【補正の内容】
【００１０】
本発明に係るデータ通信システムは、上述の課題を解決するために、
検索を行う側であって、通信機能を備えると共に、所定のグループ登録がなされた端末装置と、
検索される側の端末装置であって、携帯性、現在位置検出機能、上記端末装置で利用可能な所定の利用可能機能、及び無線通信機能を備え、上記端末装置と同じグループに属することを示すグループ登録がなされた複数の携帯端末装置と、
広域ネットワーク上に設けられ、上記端末装置及び上記各携帯端末装置を特定するための所定の識別子、少なくとも上記各携帯端末装置の現在位置検出機能で検出された現在位置を示す現在位置情報、少なくとも上記各携帯端末装置の上記利用可能機能を示す利用可能機能情報、上記端末装置と上記各携帯端末装置との間に通信コネクションを確立するための、上記端末装置及び上記各携帯端末装置の通信設定情報を含む端末情報をグループ化して登録することで、上記端末装置及び上記各携帯端末装置を、同じグループに属する端末装置として関連付けて登録するデータベースを備えたサーバ装置と
を有する。
【手続補正３】
【補正対象書類名】明細書
【補正対象項目名】００１１
【補正方法】変更
【補正の内容】
【００１１】
そして、上記サーバ装置が、上記端末装置から所定の地理的範囲が指定された際に、上記データベースに登録されている上記同じグループの各携帯端末装置の現在位置情報を参照することで、上記端末装置から指定された地理的範囲に位置する上記同じグループの各携帯端末装置を検出し、この各携帯端末装置の現在位置情報、該各携帯端末装置の端末情報、及び上記端末装置から指定された地理的範囲に対応する地図情報を上記端末装置に送信し、
上記端末装置が、上記サーバ装置から受信した上記指定した地理的範囲に対応する地図情報を表示部に表示すると共に、この地図情報上に、上記同じグループの各携帯端末装置の現在位置情報を一覧的に表示する。これにより、所望の地理的範囲に位置する同じグループに属する複数の携帯端末装置を一度に検出して表示可能とする。
【手続補正４】
【補正対象書類名】明細書
【補正対象項目名】００１２
【補正方法】変更
【補正の内容】
【００１２】
また、上記サーバ装置が、上記同じグループの各携帯端末装置の現在位置情報を一覧的に表示した上記端末装置から所望の携帯端末装置が指定されると共に、この所望の携帯端末装置の上記利用可能機能が指定された際に、上記データベースに登録されている、当該指定された携帯端末装置の上記端末情報に含まれる上記通信設定情報に基づいて、該指定された携帯端末装置と上記端末装置との間に、当該サーバ装置及び上記広域ネットワークを介した上記利用可能機能用の通信コネクションを確立し、
上記端末装置及び上記指定された携帯端末装置は、上記サーバ装置により確立された上記通信コネクションを介して、上記指定された携帯端末装置の上記利用可能機能に対応するデータ通信を行う。広域ネットワークを介して通信コネクションを確立することで、上記端末装置及び上記指定された携帯端末装置間において、距離的制限の無い所望のデータ種別のデータ通信を可能とする。
【手続補正５】
【補正対象書類名】明細書
【補正対象項目名】００１３
【補正方法】変更
【補正の内容】
【００１３】
本発明は、所望の地理的範囲に位置する同じグループの複数の携帯端末装置を一度に検出することができ、この所望の地理的範囲に位置する複数の携帯端末装置の中から所望の携帯端末装置を指定して、距離的な制限なく、所望のデータ種別のデータ通信を行うことができる。